(57)【要約】【課題】  テレビ受信の際に音質を改善し、ディスプレイユニットの通気孔から水気が内部に侵入することを防止することができるディスプレイユニットを備えた冷蔵庫の音響装置を提供する。【解決手段】  冷蔵庫のドアの前面に取り付けられるディスプレイと、ディスプレイの周縁部に取り付けられ、かつ複数のスピーカホールが設けられている取付パネルと、取付パネルのスピーカホールの背面に設けられて音響を伝達するスピーカと、スピーカと所定の空間を置いて、かつスピーカを取り囲んで設けられる共鳴筒とを備えている。また、スピーカホールの前方部分の前方または後方部分の後方が広く拡大するコーン状になっている。【選択図】      図４
2005184843.tif 000002
【特許請求の範囲】
【請求項１】
冷蔵庫のドアの前面に取り付けられるディスプレイと、
前記ディスプレイの周縁部に取り付けられ、複数のスピーカホールが設けられている取付パネルと、
前記取付パネルのスピーカホールの背面に設けられて音響を伝達するスピーカと、
前記スピーカと所定の空間を置いて、かつスピーカを取り囲んで設けられている共鳴筒とを備えることを特徴とする冷蔵庫用ディスプレイユニット。
【請求項２】
前記共鳴筒が、前記スピーカの背面に発生した音響を反射して外部に伝達するために、前記取付パネルのスピーカホールと連設される所定の長さの伝達管をさらに備えることを特徴とする請求項１に記載の冷蔵庫用ディスプレイユニット。
【請求項３】
前記共鳴筒の内側に、前記共鳴筒が、前記スピーカの背面との対向面に高音を吸収する吸音材を設けることを特徴とする請求項１または２に記載の冷蔵庫用ディスプレイユニット。
【請求項４】
前記吸音材が、表面または内部に複数の微細孔が設けられている多孔質吸音材であることを特徴とする請求項３に記載の冷蔵庫用ディスプレイユニット。
【請求項５】
前記スピーカホールの前方部分は、前方が広く拡大するコーン状であることを特徴とする請求項１または２に記載の冷蔵庫用ディスプレイユニット。
【請求項６】
前記スピーカホールの後方部分は、後方が広く拡大するコーン状であることを特徴とする請求項５に記載の冷蔵庫用ディスプレイユニット。
【請求項７】
前記共鳴筒が、長方形に形成されることを特徴とする請求項１に記載の冷蔵庫用ディスプレイユニット。
【発明の詳細な説明】
【技術分野】
【０００１】
本発明は、冷蔵庫のドア側に設けられたディスプレイユニットに関し、より詳しくは、音響を発生させるスピーカの性能を改善して音質を向上させることができる冷蔵庫用ディスプレイユニットに関する。
【背景技術】
【０００２】
一般に、冷蔵庫は、冷凍室と冷蔵室が上下に設けられ、冷凍室のドアと冷蔵庫のドアがそれぞれ冷凍室と冷蔵室に開閉可能に構成されるトップマウントタイプが主になっているが、最近、冷蔵庫の大型化に伴って、冷凍室と冷蔵室が両側に設けられ、冷凍室のドアと冷蔵室のドアが両側端部を回動中心として開閉自在に構成される並行型（サイドバイサイドタイプ）の冷蔵庫が多く市販されている。
【０００３】
図１は、従来のサイドバイサイドタイプの冷蔵庫を示す正面図である。図示のように、冷蔵庫本体１０には一対のドア１１、１３が並設されている。前記ドア１１、１３は、前記本体１０の内部に設けられる冷凍室と冷蔵室を開閉するためのものであり、前記本体１０の一方の側部にヒンジｈ、h’によってそれぞれ回動自在に設置されている。
【０００４】
最近、サイドバイサイドタイプの冷蔵庫は、ユーザの様々な好みを満たすとともに、冷気の損失を防止するために、冷凍室のドア側には冷水または氷を取り出すためのディスペンサ１５が設けられている。また、一般に、冷蔵室のドアの前面には、テレビ受信機能を有するディスプレイユニット１７が設けられている。このディスプレイユニット１７は、例えば、テレビ受信機能を内蔵しているので、冷蔵庫が設けられている厨房でテレビを視聴することができるようになっている。
【０００５】
前記ディスプレイユニット１７は、相対的に薄厚の液晶表示装置（ＬＣＤ）で構成されるディスプレイ１８と、前記ディスプレイの周辺を形成するパネル１９とを備えている。また、前記ディスプレイユニット１７は、内蔵されている回路部品によって、電波で伝達される映像信号と音声信号を受けて映像と音声として外部に伝達し、ユーザがディスプレイユニットの放送を視聴することができるようにする。また、前記ディスプレイユニット１７のパネル１９には、複数の貫通孔２０が設けられている。
【０００６】
前記貫通孔２０は、前記ディスプレイユニット１７の内部に設けられる各種部品の冷却のための冷却孔の役割を行い、または前記ディスプレイユニット１７の内部に設けられるスピーカ（図示せず）から発生する原音声を外部に伝達するスピーカホールの役割をする。また、前記貫通孔２０の後方には、音響を発生させるスピーカが直接設けられている。
【０００７】
しかし、冷蔵庫のドアのように、厚さなどにおいて空間的な制約を受ける部分に、テレビのスピーカが設けられるため、音響の伝達において効果的でないという短所があった。即ち、単純にスピーカの前方に発生する音響が通音孔を介して外部に伝達されるので、スピーカの後方に発生する音響は、近接した冷凍室のドアまたは冷蔵室のドア側に直接ぶつかって乱反射することにより、中低音が殆ど聞こえないだけでなく、高音が強調されて鋭く聞こえるという問題があった。
【０００８】
図６のグラフから分かるように、従来の伝達音をみると、相対的に低音及び中音の領域において効率的な音の伝達が行われていない。また、高音領域では、部分的にデシベルが高くなり、鋭い音になる短所もあった。
【０００９】
従って、従来の音響領域では、中低音の伝達が不足で、かつ相対的に高音が伝達される問題点があるとともに、高音が部分的に増幅して伝達されるなどの短所があった。
【００１０】
また、図２は、従来の貫通孔２０を示す断面図である。図示のように、ディスプレイユニット１７のパネル１９を前後方向に貫通する貫通孔２０は、前後方向において同一の直径を有して形成されている。
【００１１】
ところが、上述したように、ディスプレイユニット１７は冷蔵庫のドア１３の前面に設けられているので、冷蔵庫を掃除する過程において、水滴が前記貫通孔２０から前記ディスプレイユニット１７の内部に流入されて内部の回路部品の故障や誤作動をもたらすことがあった。
【発明の開示】
【発明が解決しようとする課題】
【００１２】
本発明は、上記問題点に鑑みなされたものであり、テレビ受信の際に音質を改善することができるディスプレイユニットを備えた冷蔵庫の音響装置を提供することを目的とする。
【００１３】
また、ディスプレイユニットの通気孔から水気が内部に侵入することを防止する音響装置を提供することを他の目的とする。
【課題を解決するための手段】
【００１４】
上記の目的を達成するため、本発明による冷蔵庫のディスプレイユニットは、冷蔵庫のドアの前面に取り付けられるディスプレイと、前記ディスプレイの周縁部に取り付けられ、かつ複数のスピーカホールが設けられている取付パネルと、前記取付パネルのスピーカホールの背面に設けられて音響を伝達するスピーカと、前記スピーカと所定の空間を置いて、かつスピーカを取り囲んで設けられる共鳴筒とを備えることを特徴とする。
また、前記共鳴筒が、前記スピーカの背面に発生した音響を反射して外部に伝達するために、前記取付パネルのスピーカホールと連設される所定の長さの伝達管をさらに備えることを特徴とする。
【００１５】
また、前記共鳴筒が、前記共鳴筒の内側において、前記スピーカの背面との対向面に高音を吸収する吸音材を設けることを特徴とする。
【００１６】
また、前記吸音材が、表面または内部に複数の微細孔が設けられた多孔質吸音材であることを特徴とする。
【００１７】
また、前記スピーカホールの前方部分は、前方が広く拡大するコーン状であることを特徴とする。
【００１８】
また、前記スピーカホールの後方部分は、後方が広く拡大するコーン状であることを特徴とする。
【００１９】
さらに、前記共鳴筒が、長方形に形成されることを特徴とする。
【発明の効果】
【００２０】
本発明の冷蔵庫用ディスプレイユニットによると、スピーカの背面側を共鳴筒が取り囲んで設けられるので、スピーカの背面に発生する音響も、共鳴筒により反射されて前方に伝達されることにより、中低音の特性を改善することができる。
【００２１】
また、前記共鳴筒の内側において、前記共鳴筒にスピーカの背面との対向面に吸音材が設けられているので、スピーカの背面に発生する音響のうち、高音を吸音材の微細孔で熱エネルギーで消耗させることにより、高音が鋭くなることを防止するだけでなく、高音を改善することができるという利点がある。従って、本発明による音響装置は、実質的に冷蔵庫のドアに設けられたディスプレイユニットの音質を改善することが効果を有する。
【００２２】
また、水滴がスピーカホールからディスプレイユニットの内部に侵入しないように構成されているので、水気によるディスプレイの内部部品の損傷などを防止して信頼性を高めることができる効果も有する。
【発明を実施するための最良の形態】
【００２３】
以下、本発明の好ましい実施の形態を、添付図面に基づいて詳しく説明する。
図３は、本発明によるディスプレイユニットを備えた冷蔵庫の主要部を示す正面図であり、図４は、図３のＡ−Ａ線による断面図であり、図５は、本発明による貫通孔を示す断面図であり、図６は、従来のスピーカと本発明のスピーカで発生する音響の周波数帯域による音高を示すグラフである。
【００２４】
本発明によるディスプレイユニットを備えた冷蔵庫の他の部分の構成は、図１に示したものと同じである。また、図２及び図３に示すように、冷蔵庫のドア１００の前面には、ディスプレイユニット１２０が設けられている。また、前記ディスプレイユニット１２０には、例えば、テレビ受信機能が内蔵されており、ユーザが冷蔵庫のドアの前面に設けられたディスプレイユニット１２０からテレビを視聴することができる。
【００２５】
また、前記冷蔵庫のドア１００の内部には、冷凍室及び冷蔵室などのような貯蔵空間が設けられている。また、このような貯蔵空間の内部には、保存しようとする食品を載せるための複数の棚が設けられている。そして、前記ドア１００の裏面には、複数のドアバスケットが着脱自在に取付けられ、その内部に各種の飲食物などを含む保存物品を入れることができる。
【００２６】
ここで、前記ディスプレイユニット１２０は、ドアの厚さを考慮して、薄厚の液晶表示装置（ＬＣＤ）で構成されるディスプレイ１２２と、このディスプレイ１２２の周縁部に設けられる取付パネル１２４とを備えている。前記ディスプレイ１２２は、ＬＣＤなどで構成され、ディスプレイユニットに組み込まれている回路により放送信号を受信して表示するためのものである。また、前記ディスプレイ１２２の周縁部に設けられる取付パネル１２４には、複数のスピーカホール１２４ａ、１２４ｂ、１２４ｃが設けられている。また、前記取付パネル１２４には、例えば、ディスプレイの機能選択のためにユーザが操作可能な操作ボタン１２４ｄが設けられている。
【００２７】
また、図４に示すように、前記取付パネル１２４のスピーカホール１２４ａ、１２４ｂ、１２４ｃの背面には、電気信号を音波に変換して音響を発生するスピーカ１２６が設けられている。また、前記取付パネル１２４の操作ボタン１２４ｄの背面には、その操作ボタン１２４ｄとディスプレイ１２２及びスピーカ１２６とを連結し、前記ディスプレイ１２２及びスピーカ１２６の作動を調節するコントローラ（図示せず）が設けられている。
また、前記ディスプレイユニット１２０は、冷蔵室のドアまたは冷凍室のドアのいずれにも設置可能なことは勿論である。また、前記ディスプレイユニット１２０を冷蔵庫のドアに設置するとき、その取付部分が外部に露出しないように、別途の装飾パネル１２８が前記ディスプレイユニット１２０の周縁部に沿って設置されてもよい。
【００２８】
前記取付パネル１２４に設けられているスピーカホール１２４ａ、１２４ｂ、１２４ｃの裏面に取付けられているスピーカ１２６の後方には、長方形の共鳴筒１３２が設けられている。前記共鳴筒１３２は、スピーカ１２６と所定の空間を置いて形成され、スピーカ１２６の後方を覆っている。前記共鳴筒１３２は、前記スピーカ１２６の前面で発生する音と、前記スピーカ１２６の背面で発生して反射される音を合わせられて中低音を改善している。
【００２９】
また、前記共鳴筒１３２の前方には、前記スピーカ１２６の背面で発生した音響が反射されて前方に伝達されるようにするため、前記取付パネル１２４のスピーカホール１２４ａ、１２４ｂ、１２４ｃと連通して設けられる所定の長さの伝達管１３４が設けられている。従って、前記共鳴筒１３２で反射されて前方に向かう音響が、前記伝達管１３４を通過しながら音圧がさらに大きくなった状態で外部に伝達されるので、音響がより遠くまで伝達される。
【００３０】
前記スピーカ１２６の後方に対応する共鳴筒１３２の後面には、高音を吸収可能なように吸音材１３６が設けられている。前記吸音材１３６は、高音を吸収することにより、不規則な高音の増幅が発生することを防止するためのものである。また、前記吸音材１３６は、表面または内部に複数の微細孔が形成されている多孔質吸音材を用いることが好ましく、不織布、織物地または圧縮スポンジなどを用いてもよい。このような吸音材１３６は、前記スピーカで発生する音響のうち、高音が微細孔の内部でぶつかって熱エネルギーとして一部消耗されるようにして音質を改善する。
【００３１】
このような構成を有する本発明による音響装置において、冷蔵庫のドア１００の前面に取り付けられたディスプレイユニット１２０がＯＮされると、ディスプレイ１２２から画面が表示されるとともに、前記スピーカ１２６から音響が外部に伝達される。
【００３２】
また、音響の伝達において、スピーカ１２６の前面で発生する音響は、前記取付パネル１２４に設けられている複数のスピーカホール１２４ａ、１２４ｂ、１２４ｃから直接外部に伝達される。同時に、前記スピーカ１２６の背面に発生する音響は、前記共鳴筒１３２で反射され、前記伝達管１３４を通過しながら音圧が高くなって伝達されることにより、音響を外部の遠くまで伝達するだけでなく、中低音がより大きく聞こえるように改善することができる。
【００３３】
前記スピーカ１２６の背面で発生する音響のうち、高音の一部は、前記吸音材１３６の微細孔の内部に吸収され、音エネルギーが熱エネルギーに変換して消耗することにより、高音が鋭くなることを防止するとともに高音を改善することができる。
【００３４】
また、図６は、本発明による音質を示すグラフである。図示するように、従来技術のスピーカで発生する音響は、中低音の音高が低いためユーザには聞こえにくく、高音の音高が一部の周波数帯域において高く現れてユーザに破裂音を聞かせるようになる。したがって、上述したような本発明の構造が適用されたスピーカで発生する音響は、中低音の音高が従来に比べてさらに補強されただけでなく、高音の音高が比較的均一に現れることにより、音響の周波数帯域でユーザに良好な音質を聴かせることができる。
【００３５】
次に、図５を参照して、本発明に適用されるスピーカホールの構成について説明する。以下においては、１つのスピーカホール１２４ａが設けられる場合を挙げて説明する。
前記スピーカホール１２４ａは、前記取付パネル１２４を前後方向に貫通して設けられているので、上述したように、スピーカ１２６から前方に進行する音と、共鳴筒１３２の内部から伝達管１３４を介して前方に出る音を通過させる。
【００３６】
本発明によるスピーカホール１２４ａは、実質的に同一の直径の中央部Ｃと、この中央部Ｃから冷蔵庫の前方を向ける前方部分Ｆと、前記中央部Ｃから冷蔵庫の内部を向ける後方部分Ｒとを有している。前記中央部Ｃは、実質的に直径が同一であるかまたはほぼ類似して形成されている。また、前記前方部分Ｆは、前方に向かって直径がコーン状に拡大する円錐状となっており、前記後方部分Ｒは、後方に向かって直径がコーン状に拡大する円錐状となっている。従って、従来のものと比べて、前記スピーカホール１２４ａの前方部分Ｆと後方部分Ｒの直径が相対的に増加しており、このため前記スピーカホール１２４ａの前方部分Ｆと後方部分Ｒは、実質的な断面積が増加していることが分かる。
【００３７】
従って、冷蔵庫のドア前面を掃除するときは、冷蔵庫のドア前面１００と前記取付パネル１２４に水滴が付いたり、前記スピーカホール１２４ａが設けられた部分に水滴が流れたりしても、このような水滴は接触面積が十分に広くなったスピーカホール１２４ａの前方部分Ｆに溜まることにより、前記中央部Ｃを通過して内部に浸透しにくくなる。たとえ、水滴が前記前方部分Ｆを通過して中央部Ｃまで浸透する場合が発生しても、後方部分Ｒの断面積が従来のものに比べて十分に広いので、その部分に溜まってから蒸発して、実質的にディスプレイユニットの内部まで浸透することが容易でない。このような本発明によるスピーカホールの構成は、実質的に前方部分及び/または後方部分の直径を大きくして表面積を広くすることにより、その部分に溜まるようにして内部への浸透を防止することに着目している。また、取付パネル１２４の前面またはスピーカホール１２４ａの前方部分Ｆに結ばれた水滴に作用する表面張力を考慮すると、上述した構成は、水滴がスピーカホールを通過してディスプレイユニットの内部に浸透することを十分に防止することができる。
【００３８】
図示した実施の形態では、前記スピーカホール１２４ａの前方部分Ｆと後方部分Ｒが、前記スピーカホール１２４ａの中央部Ｃに比べて直径が増加して形成されるが、このような実施の形態に限定されるものでないことは明らかである。例えば、前記前方部分Ｆは前記中央部Ｃに比べて直径が増加し、前記後方部分Ｒは前記中央部Ｃと同一の直径で形成することも可能である。
【００３９】
以上のような本発明では、冷蔵庫のドア前面に取り付けられたディスプレイユニットから出る音質を改善するために、共鳴筒を設置することを基本的な技術的思想としている。また、音が通過するスピーカホールから水滴がディスプレイユニットの内部に浸透することを防止するために、少なくともスピーカホールの前方部分を拡張することにより表面積を広がっている。
【００４０】
このような本発明による基本的な技術的思想の範囲内で、当業界の通常の知識を有する者にとって、様々な変形が可能であることは勿論であり、本発明は、特許請求の範囲に基づいて解釈されなければならない。
【図面の簡単な説明】
【００４１】
【図１】一般のディスプレイユニットが設けられた冷蔵庫を示す正面図である。
【図２】従来のスピーカホールを示す断面図である。
【図３】本発明によるディスプレイユニットが設けられた冷蔵庫のドアを示す部分正面図である。
【図４】図３のＡ−Ａ線による断面図である。
【図５】本発明によるスピーカホールを示す断面図である。
【図６】従来のスピーカと本発明のスピーカで発生する音響の周波数帯域による音高を示すグラフである。
【符号の説明】
【００４２】
１００    冷蔵庫のドア
１２０    ディスプレイユニット
１２２    ディスプレイ
１２４    取付パネル
１２４ａ、１２４ｂ、１２４ｃ    スピーカホール
１２４ｄ    操作ボタン
１２６    スピーカ
１３２    共鳴筒
１３４    伝達管
１３６    吸音材
【図１】
2005184843.tif 000003
【図２】
2005184843.tif 000004
【図３】
2005184843.tif 000005
【図４】
2005184843.tif 000006
【図５】
2005184843.tif 000007
【図６】
2005184843.tif 000008